【手続補正書】
【提出日】平成21年8月11日(2009.8.11)
【手続補正１】
【補正対象書類名】特許請求の範囲
【補正対象項目名】請求項４
【補正方法】変更
【補正の内容】
【請求項４】
前記連結部材は、前記第２又は第３の曲げダイス取付けスライドに設けてあり、前記揺動杆の進退を案内する案内溝を有する案内部材と、前記第１の曲げダイス取付けスライドに設けてあり、前記案内溝に沿って移動する移動部材とを備えており、前記案内溝は前記線材通路の送り出し方向に沿って形成してあることを特徴とする請求項１乃至３のいずれか一つに記載のばね製造機。
【手続補正２】
【補正対象書類名】明細書
【補正対象項目名】００１６
【補正方法】変更
【補正の内容】
【００１６】
本発明にあっては、第１の曲げダイス取付けスライドの揺動杆と、第２又は第３の曲げダイス取付けスライドの一方とを連結する連結部材を設けることにより、第２又は第３の曲げダイス取付けスライドを駆動する駆動源の駆動が、連結部材を介して前記揺動杆に伝動して、揺動杆に駆動源を設けることなく揺動杆が揺動し、揺動杆の一端部に取付けてある曲げダイスが、線材が当接しない位置に揺動して直線部分を成形し、次に前記曲げダイスが、右巻きのばねを成形する場合には第２の曲げダイス取付けスライド側に揺動し、線材に当接して右巻きのコイル部を成形し、左巻きのばねを成形する場合には第３の曲げダイス取付けスライド側に揺動し、線材に当接して左巻きのコイル部を成形し、そして線材が当接しない位置に揺動して直線部分を成形してトーションばねを製造する。
【手続補正３】
【補正対象書類名】明細書
【補正対象項目名】００２１
【補正方法】変更
【補正の内容】
【００２１】
また本発明に係るばね製造機は、前記連結部材は、前記第２又は第３の曲げダイス取付けスライドに設けてあり、前記揺動杆の進退を案内する案内溝を有する案内部材と、前記第１の曲げダイス取付けスライドに設けてあり、前記案内溝に沿って移動する移動部材とを備えており、前記案内溝は前記線材通路の送り出し方向に沿って形成してあることを特徴とする。
【手続補正４】
【補正対象書類名】明細書
【補正対象項目名】００２２
【補正方法】変更
【補正の内容】
【００２２】
本発明にあっては、前記第２又は第３の曲げダイス取付けスライドに、前記揺動杆の線材の送り出し方向に沿った進退を案内する案内溝を有する案内部材を設け、前記第１の曲げダイス取付けスライドに、前記案内溝に沿って移動する移動部材設けることにより、前記揺動杆に前記送り出し方向の力が加えられた場合には、該送り出し方向の力を揺動杆の進退に用いて、揺動杆の揺動と進退とを独立させる。
【手続補正５】
【補正対象書類名】明細書
【補正対象項目名】００２５
【補正方法】変更
【補正の内容】
【００２５】
本発明に係るばね製造機においては、第１の曲げダイス取付けスライドの揺動杆と、第２又は第３の曲げダイス取付けスライドの一方とを連結する連結部材を設けることにより、第２又は第３の曲げダイス取付けスライドを駆動する駆動源の駆動が、連結部材を介して前記揺動杆に伝動して、揺動杆に駆動源を設けることなく揺動杆が揺動し、揺動杆の一端部に取付けてある曲げダイスが、線材が当接しない位置に揺動して直線部分を成形し、次に前記曲げダイスが、右巻きのばねを成形する場合には第２の曲げダイス取付けスライド側に揺動し線材に当接して、右巻きのコイル部を成形し、左巻きのばねを成形する場合には第３の曲げダイス取付けスライド側に揺動し線材に当接して、左巻きのコイル部を成形し、そして線材が当接しない位置に揺動して直線部分を成形し、直線部分を成形する必要のあるばね、例えばトーションばねを製造することができ、また製造費用を削減することができる。
【手続補正６】
【補正対象書類名】明細書
【補正対象項目名】００３９
【補正方法】変更
【補正の内容】
【００３９】
前記揺動杆１２の他端部に取付けた曲げダイス１６を前記線材ガイド３ｂの出口に突合わせた場合に、前記第２の曲げダイス取付けスライド２０側にある前記揺動杆１２の側面に、揺動杆１２と後述する案内部材２１とを連結する連結片４１（移動部材）の矩形部分が、その長手縁部を前記側面に固定させて設けてある。該矩形部分には、矩形部分の長手方向中央部から前記第２の曲げダイス取付けスライド２０側に突出した突出部が連なっている。該突出部には前後に貫通した貫通孔が開設してあり、該貫通孔に第２の枢軸４２が回動自在に挿入され、該第２の枢軸４２は後述する案内溝２２に嵌合する構成となっている。
【手続補正７】
【補正対象書類名】明細書
【補正対象項目名】００４２
【補正方法】変更
【補正の内容】
【００４２】
次に曲げダイス１６の進退及び揺動について説明する。図４は曲げダイス１６の進退及び揺動を示す説明図である。モータＭ１が正回転したときには、前記第２の枢軸４２が前記案内溝２２に沿って曲げダイス１６側に摺動して、連結片４１（移動部材）及び第１の曲げダイス取付けスライド１０は、線材加工空間４に向けて前進し、図４（ａ）にて矢印で示す如く、曲げダイス１６が前進する。
【手続補正８】
【補正対象書類名】明細書
【補正対象項目名】００４３
【補正方法】変更
【補正の内容】
【００４３】
モータＭ１が逆回転したときには、前記第２の枢軸４２が前記案内溝２２に沿って第１の枢軸１３側に摺動して、連結片４１（移動部材）及び第１の曲げダイス取付けスライド１０は、線材加工空間４から後退し、図４（ｂ）にて矢印で示す如く、曲げダイス１６が後退する。
【手続補正９】
【補正対象書類名】明細書
【補正対象項目名】００５０
【補正方法】変更
【補正の内容】
【００５０】
前足部が成形されたときには、モータＭ２に逆回転信号が出力され、モータＭ２は所定の回転数回転し、第２の曲げダイス取付けスライド２０が線材加工空間４から後退して、揺動杆１２が、曲げダイス１６が線材ガイド３ｂの出口に突合う位置まで時計回りに揺動する。そして曲げダイス１６は送り出された線材に当接し、線材は曲げ変形され、芯金５に沿って右巻きのコイル部が巻成される（図５（ｃ）参照）。
【手続補正１０】
【補正対象書類名】明細書
【補正対象項目名】００５２
【補正方法】変更
【補正の内容】
【００５２】
後足部が成形されたときには、モータＭ２に逆回転信号が出力され、モータＭ２は所定の回転数回転し、第２の曲げダイス取付けスライド２０が線材加工空間４から後退して、揺動杆１２が、曲げダイス１６が線材ガイド３ｂの出口に突合う位置まで時計回りに揺動する。そして曲げダイス１６は、後足部の端部に当接し、該端部は曲げ変形され、芯金５の上側に移動する（図６（ｅ）参照）。前記端部が芯金５の上側に移動したときに、カッタ６が下降して芯金５との間で該端部を挟み、端部が切断されてトーションばねが切り離される（図６（ｆ）参照）。
【手続補正１１】
【補正対象書類名】明細書
【補正対象項目名】００６７
【補正方法】変更
【補正の内容】
【００６７】
また、第２の曲げダイス取付けスライド２０に、揺動杆１２の線材の送り出し方向に沿った進退を案内する案内溝２２を有する案内部材２１を設け、前記第１の曲げダイス取付けスライド１０に、前記案内溝２２に沿って摺動する連結片４１を設けることにより、前記揺動杆１２に、モータＭ３により前記送り出し方向の力が加えられた場合には、前記揺動杆１２は前記案内溝２２に沿って線材の送り出し方向に進退して、前記送り出し方向の力を、揺動杆１２の進退に用いて、揺動杆１２の揺動と進退とを独立させ、製造されるコイルばねの仕様に応じて揺動杆１２の揺動角及び進退距離をそれぞれ個別に調整し、外径の変化の割合を変更してコイルばねを製造することができる。
【手続補正１２】
【補正対象書類名】明細書
【補正対象項目名】００７２
【補正方法】変更
【補正の内容】
【００７２】
１  前壁
２  線材送りローラ
３ａ、３ｂ  線材ガイド
４  線材加工空間
５  芯金
６  カッタ
１０  第１の曲げダイス取付けスライド
１２  揺動杆
１３  第１の枢軸
１６  曲げダイス
２０  第２の曲げダイス取付けスライド
２１  案内部材
２２  案内溝
３０  第３の曲げダイス取付けスライド
４１  連結片（移動部材）
４２  第２の枢軸
５０  アーム部材
５１  第１の凸部
５２  第２の凸部
５３  支持台
【手続補正１３】
【補正対象書類名】図面
【補正対象項目名】図１
【補正方法】変更
【補正の内容】
【図１】
2008155215.tif 000001
【手続補正１４】
【補正対象書類名】図面
【補正対象項目名】図４
【補正方法】変更
【補正の内容】
【図４】
2008155215.tif 000002
【手続補正１５】
【補正対象書類名】図面
【補正対象項目名】図５
【補正方法】変更
【補正の内容】
【図５】
2008155215.tif 000003
【手続補正１６】
【補正対象書類名】図面
【補正対象項目名】図６
【補正方法】変更
【補正の内容】
【図６】
2008155215.tif 000004
【手続補正１７】
【補正対象書類名】図面
【補正対象項目名】図７
【補正方法】変更
【補正の内容】
【図７】
2008155215.tif 000005